(57)【要約】【課題】  回線交換網とＩＰ網との間の網間分散制御システムに関し、処理負荷の集中が生じないようにする。【解決手段】  インタネット網と回線交換網との間で通信を行う為の網間分散制御システムであって、呼制御信号を転送する為の網間のシグナリング・ゲートウエイ（ＳＧ）の機能を、呼制御サーバ３と共通線信号送受信サーバ２とに分離し、呼制御サーバ２を共通線信号送受信サーバ３に対して複数配置し、共通線信号サーバ３に、呼制御サーバ２を選択できる対応テーブルを設ける。【選択図】        図１
2005318145.tif 000002
【特許請求の範囲】
【請求項１】
インタネット網と回線交換網との間で通信を行う為の網間分散制御システムに於いて、  呼制御信号を転送する為の網間のシグナリング・ゲートウエイの機能を、呼制御サーバと共通線信号送受信サーバとに分離し、前記共通線信号送受信サーバに対して、複数の前記呼制御サーバを設けた構成を備えた
ことを特徴とする網間分散制御システム。
【請求項２】
インタネット網と回線交換網との間で通信を行う為の網間分散制御システムに於いて、  呼制御信号を転送する為の網間のシグナリング・ゲートウエイの機能を、呼制御サーバと共通線信号送受信サーバとに分離し、前記共通線信号送受信サーバと前記共通線信号送受信サーバとをそれぞれ複数配置し、且つ前記複数の共通線信号送受信サーバ間に呼制御信号の転送する手段を設けた
ことを特徴とする網間分散制御システム。
【請求項３】
前記共通線信号送受信サーバは、回線交換網側の回線番号と複数の前記呼制御サーバとの対応付けを行った対応テーブルを備えたことを特徴とする請求項１又は２記載の網間分散制御システム。
【発明の詳細な説明】
【技術分野】
【０００１】
本発明は、公衆交換網（ＰＳＴＮ：Ｐｕｂｌｉｃ  Ｓｗｉｔｃｈｅｄ  Ｔｅｌｅｐｈｏｎｅ  Ｎｅｔｗｏｒｋ）（回線交換網）とインターネット網（ＩＰ：Ｉｎｔｅｒｎｅｔ  Ｐｒｏｔｏｃｏｌ）との間の通信を行う為の網間分散制御システムに関する。
【背景技術】
【０００２】
公衆交換網（回線交換網）に於ける交換機間の呼制御信号は、共通線信号方式（Ｎｏ．７信号方式）により伝送されている。この方式に於ける伝送フォーマットは、シーケンス番号ＳＮ（Ｓｅｑｕｅｎｃｅ  Ｎｕｍｂｅｒ）、着信局番号ＤＰＣ（Ｄｅｓｔｉｎａｔｉｏｎ  Ｐｏｉｎｔ  Ｃｏｄｅ）、発信局番号ＯＰＣ（Ｏｒｉｇｉｎａｔｉｎｇ  Ｐｏｉｎｔ  Ｃｏｄｅ）、通話回線番号ＣＩＣ（Ｃｉｒｃｕｉｔ  Ｉｄｅｎｔｉｆｉｃａｓｉｏｎ  Ｃｏｄｅ）、信号情報ＳＩＦ（Ｓｉｇｎａｌｌｉｎｇ  Ｉｎｆｏｒｍａｔｉｏｎ  Ｆｉｅｌｄ）、チェック符号ＣＫ（Ｃｈｅｃｋ  Ｂｉｔ）を含むものである。又ＩＳＤＮ（Ｉｎｔｅｇｒａｔｅｄ  Ｓｅｒｖｉｃｅｓ  Ｄｉｇｉｔａｌ  Ｎｅｔｗｏｒｋ）に於いては、呼制御の手順を示すＩＳＵＰ（ＩＳＤＮ  Ｕｓｅｒ  Ｐａｒｔ）が導入されている。又インターネット網(以下ＩＰ網と略称する)に於けるＶｏＩＰ（Ｖｏｉｃｅ  ｏｆ  Ｉｎｔｅｒｎｅｔ  Ｐｒｏｔｏｃｏｌ）の呼制御として例えばＳＩＰ（Ｓｅｓｓｉｏｎ  Ｉｎｉｔｉａｔｉｏｎ  Ｐｒｏｔｏｃｏｌ）が比較的多く適用されている。
【０００３】
前述の共通線信号方式を適用している回線交換網（公衆交換網と同一であり、以下回線交換網の用語で説明する）と、ＩＰ網との間のゲートウェイシステムは、次のような機能単位から構成されている。
（１）．共通線信号方式の回線交換網とインタフェースをとり、呼制御の為にＩＳＵＰ等の共通線信号送受信を行う機能。
（２）．ＩＰ網とインタフェースをとり、呼制御の為にＳＩＰ信号等の共通線信号の送受信を行う機能。
（３）．ＩＰ網と回線交換網との間で、音声信号のメディア変換を行う機能。
（４）．メディア変換機能とインタフェースをとり、メディア変換機能制御の為に、ＭＥＧＡＣＯ（Ｍｅｄｉａ  Ｇａｔｅｗａｙ  Ｃｏｎｔｏｒｏｌ）等の送受信を行う機能。
（５）．前記（１）〜（４）の間をとり、呼制御を行う機能。
【０００４】
前記（３）のメディア変換機能は、回線交換網の音声信号と、ＩＰ網のＲＴＰ（Ｒｅａｌｔｉｍｅ  Ｔｒａｎｓｐｏｒｔ  Ｐｒｏｔｏｃｏｌ）音声パケットとの間で、メディア変換を行う機能は、専用のハードウェアにより実現されている。又ＭＥＧＡＣＯ等のＩＰ網で動作する制御プロトコルが標準化されている為、前記（５）の呼制御を司る機能とは分離して機能配置することが比較的容易である。又前記（２）のＳＩＰ信号は、ＩＰ網上の信号である為、一般的なネットワークカードＮＩＣ（Ｎｅｔｗｏｒｋ  Ｉｎｔｅｒｆａｃｅ  Ｃａｒｄ）を装着するだけで対応できるから、特別な専用ハードウェアを用意することなく、汎用サーバでその機能を実現することができる。又前記（１）の共通線信号方式に於ける共通線信号の終端は、物理インタフェースが回線交換特有のものとなるから、専用のハードウェアによって実現することになる。
【０００５】
従って、回線交換網とＩＰ網とは、例えば、図５に示す接続構成となる。同図に於いて、１００は回線交換網、１０１はＩＰ網、１１０はＰＳＴＮ（Ｐｕｂｌｉｃ  Ｓｗｉｔｃｈｅｄ  Ｔｅｌｅｐｈｏｎｅ  Ｎｅｔｗｏｒｋ）交換機、１１１は一般の電話機、１１５はＩＰ電話機、１１２はＳＧ（Ｓｉｇｎａｌｉｎｇ  Ｇａｔｅｗａｙ）サーバ、１１３はメディア変換サーバ、１１４はＳＩＰ（Ｓｅｓｓｉｏｎ  Ｉｎｉｔｉａｔｉｏｎ  Ｐｒｏｔｏｃｏｌ）サーバを示す。
【０００６】
メディア変換サーバ１１３は、回線交換網１００側の音声信号と、ＩＰ網１０１側の音声パケットとの変換を行うものであり、このメディア変換サーバ１１３とＰＳＴＮ交換機１１０との間の中継伝送をＳＤＨ（Ｓｙｎｃｈｒｏｎｏｕｓ  Ｄｉｇｉｔａｌ  Ｈｉｅｒａｃｈｙ）方式により多重化して行う場合を示している。又メディア変換サーバ１１３とＩＰ電話機１１５との間は、ＲＴＰ（Ｒｅａｌｔｉｍｅ  Ｔｒａｎｓｐｏｒｔ  Ｐｒｏｔｏｃｏｌ）を適用してパケット伝送する場合を示している。又ＳＩＰサーバ１１４は、ＳＩＰ対応のＩＰ電話機１１５からのＳＩＰ信号に基づいてセッションの確立処理を行うもので、ＳＧサーバ１１２は、ＩＰ網１０１のＳＩＰ信号と、回線交換網のＩＳＵＰ信号と
の間の処理を行い、ＭＥＧＣＯ信号によりメディア変換サーバ１１３に於けるＲＴＰによるパケットとＳＤＨによる多重化された音声信号との変換タイミング制御を行う場合を示している。
【０００７】
又ＩＳＤＮ回線交換網とＩＰ網との間に複数のメディア変換サーバ（ＭＧ）を設け、ＩＳＤＮ回線交換網の共通線信号網とＩＰ網との間に、共通化したシグナリング・ゲートウエイ（ＳＧ）を設け、このシグナリング・ゲートウエイ（ＳＧ）と複数のメディア変換サーバ（ＭＧ）との間に、ＩＳＤＮ回線交換網のＤチャネル信号をパケット化して転送するシステムが提案されている（例えば、特許文献１参照）。
【特許文献１】特開２００２−２０８９６６号公報
【発明の開示】
【発明が解決しようとする課題】
【０００８】
従来のシステムに於けるＳＧサーバ１１２に、共通線信号の送受信を行う為の専用のインタフェースカードを実装するものであるが、回線数が多数となると、実装するインタフェースカードも多数となり、多数のＳＧ１１２を設置することになり、従って、これらの制御と呼制御とを同一サーバ上で実行する構成となる為、呼制御の負担が大きく、円滑な制御処理が困難となる問題がある。
【０００９】
本発明は、呼制御サーバを独立的な構成として、処理負荷の集中が生じないようにすることを目的とする。
【課題を解決するための手段】
【００１０】
本発明の網間分散制御システムは、インタネット網と回線交換網との間で通信を行う為の網間分散制御システムであって、呼制御信号を転送する為の網間のシグナリング・ゲートウエイの機能を、呼制御サーバと共通線信号送受信サーバとに分離し、その共通線信号送受信サーバに対して、複数の呼制御サーバを設けた構成を備えている。
【００１１】
又インタネット網と回線交換網との間で通信を行う為の網間分散制御システムであって、呼制御信号を転送する為の網間のシグナリング・ゲートウエイの機能を、呼制御サーバと共通線信号送受信サーバとに分離し、前記共通線信号送受信サーバと前記共通線信号送受信サーバとをそれぞれ複数配置し、且つ複数の共通線信号送受信サーバ間に呼制御信号の転送する手段を設けた構成を備えている。
【００１２】
又共通線信号送受信サーバは、回線交換網側の回線番号と複数の前記呼制御サーバとの対応付けを行った対応テーブルを備えている。
【発明の効果】
【００１３】
共通線信号送受信サーバと呼制御サーバとを分離し、サーバ機能の独立性及びサーバの物理インタフェース収納の明確な分離とを行うことができ、呼制御サーバの収容物理インタフェースの一本化を図ることができる。又共通線信号送受信サーバを呼制御サーバに対して独立的に配置できるから、この共通線信号送受信サーバを回線交換網の近くに配置し、呼制御サーバを任意の位置に配置することが容易であり、専用網となる共通線信号網の経済化を図ることができる。
【発明を実施するための最良の形態】
【００１４】
本発明の網間分散制御システムは、図１を参照して説明すると、呼制御信号を転送する為の網間のシグナリング・ゲートウエイ（ＳＧ）１の機能を、呼制御サーバ２と共通線信号送受信サーバ３とに分離し、その共通線信号送受信サーバ３に対して、複数の呼制御サーバを設けた構成とする。
【実施例１】
【００１５】
図１は、本発明の実施例の要部説明図であり、ＩＰ網と回線交換網との間に設けるＳＧ（Ｓｉｇｎａｌｉｎｇ  Ｇａｔｅｗａｙ）１の構成を示し、２は呼制御サーバ、３は共通線信号送受信サーバ（Ｎｏ．７信号送受信サーバ）、４はＵＤＰ／ＩＰ（Ｕｓｅｒ  Ｄａｔａｇｒａｍ  Ｐｒｏｔｏｃｏｌ／Ｉｎｔｅｒｎｅｔ  Ｐｒｏｔｏｃｏｌ）処理部、５はＭＴＰ（Ｍｅｓｓａｇｅ  Ｔｒａｎｓｆｅｒ  Ｐａｒｔ）処理部、６は乗せ換え機能部を示す。
【００１６】
ＳＧ１の機能を、呼制御サーバ２と、共通線信号送受信サーバ３とを分離し、共通線信号送受信サーバ３に対して呼制御サーバ２を任意の位置、及び任意の個数の設置を可能とする。又回線交換網と共通線信号送受信部３のＭＴＰ処理部５との間は、ＩＳＵＰ／ＭＴＰにより送受信処理が行われ、呼制御サーバ２と共通線信号送受信サーバ３のＵＤＰ／ＩＰ処理部４との間は、ＩＳＵＰ／ＵＤＰにより送受信処理が行われ、ＩＰ網の図示を省略したＳＩＰサーバと呼制御サーバ２との間は、ＳＩＰ／ＵＤＰにより送受信処理が行われ、この呼制御サーバ２と図示を省略したメディア変換サーバとの間は、ＭＥＧＡＣＯ／ＵＤＰにより制御信号が転送される構成とする。
【００１７】
前述のように、共通線信号送受信サーバ３は、ＭＴＰ処理部５により、ＭＴＰレイヤの処理全般についての終端を行うと共に、ＩＳＵＰ信号等の呼制御信号をＭＴＰレイヤから受信し、乗せ換え機能部６により、ＵＤＰ等のＩＰ上で動作するプロトコルに乗せ換えを行い、ＵＤＰ／ＩＰ処理部４により、呼制御サーバ２に転送する。又呼制御サーバ２側から回線交換網側へは、前述の逆方向の処理によりＩＳＵＰ信号を転送する。
【００１８】
共通線信号送受信サーバ３は、ＭＴＰレイヤ以下のレイヤの処理機能を専用のハードウェアにより構成し、乗せ換え機能部６の処理機能をソフトウェアにより実現することが可能となり、従って、共通線信号送受信サーバ３の処理負荷は、呼制御サーバ２の処理負荷に比較して軽いものとなる。
【００１９】
そこで、図２に示すように、共通線信号送受信サーバ３に対して、複数の呼制御サーバ２−１〜２−ｎを設けた網間分散制御システムを構成する。この場合の共通線信号送受信サーバ３は、図１に示す構成と同様に、ＵＤＰ／ＩＰ処理部４と、ＭＴＰ処理部５と、乗せ換え機能部６との処理機能を有すると共に、例えば、ＣＩＣ（通話回線番号）と呼制御サーバとの対応付けを行う対応テーブル１０を設ける。従って、共通線信号送受信サーバ３は、回線交換網からのＩＳＵＰ／ＭＴＰによる呼制御信号を、対応テーブル１０の参照によって、ＣＩＣ信号に対応する呼制御サーバに振り分けることができる。
【００２０】
又複数の呼制御サーバ２−１〜２−ｎ対応にメディア変換サーバ１１−１〜１１−ｎを回線交換網とＩＰ網との間に配置し、各呼制御サーバ２−１〜２−ｎは、呼制御信号に基づいて、それぞれメディア変換サーバ１１−１〜１１−ｎに、ＭＥＧＡＣＯ／ＵＤＰによる制御信号を転送する。この場合、呼制御サーバ２−１〜２−ｎに対してそれぞれ複数又は単一のメディア変換サーバを接続する構成とすることもできる。又共通線信号送受信サーバ３を回線交換網の共通線信号を転送する共通線信号網の近くに配置し、呼制御サーバ２−１〜２−ｎを、ＩＰ網に対して分散配置することもできる。
【００２１】
又呼制御サーバと独立的に共通線信号送受信サーバを設けるものであるから、この共通線信号送受信サーバを複数設けることもできる。例えば、図３に示すように、単一の呼制御サーバ２に対して、複数の共通線信号送受信サーバ３−１〜３−ｍを配置し、呼制御サーバ２は、回線交換網に収容された相手端末対応の共通線信号送受信サーバとの間で、呼制御信号の転送処理を行う。なお、共通線信号送受信サーバ３−１〜３−ｍは、それぞれ図１に示す構成を有するものであるが、回線交換網との間のＩＳＵＰ／ＭＴＰ転送を行うＭＴＰ処理部５のみを図示している。又メディア変換サーバは図示を省略している。
【００２２】
又共通線信号送受信サーバと、呼制御サーバとをそれぞれ複数設けて、網間分散制御システムを構成することもできる。例えば、図４に示すように、複数の呼制御サーバ２−１〜２−ｎと複数の共通線信号送受信サーバ３−１〜３−ｍとを設ける。この場合、共通線信号送受信サーバ３−１〜３−ｍは、ＭＴＰ処理部５と対応テーブル１０を図示しているが、図１に示すように、ＵＤＰ／ＩＰ処理部４と、乗せ換え機能部６とを含む構成を有するものである。
【００２３】
又共通線信号送受信サーバ３−１〜３−ｍは、ＩＰ網側のＩＰ電話機と、回線交換網側の電話機との収容位置を識別して、共通線信号送受信サーバ間の転送を行う機能を備えている。それにより、例えば、ＩＰ網側のＩＰ電話機については、呼制御サーバ２−１と共通線信号送受信サーバ３−１との間で呼制御信号がＩＳＵＰ／ＵＤＰにより転送され、回線交換網側の電話機については、共通線信号送受信サーバ３−２と図示を省略した交換機の共通線信号送受信部との間で、呼制御信号がＩＳＵＰ／ＭＴＰにより転送される場合に於いて、共通線信号送受信サーバ３−１又は共通線信号送受信サーバ３−２は、前述のように、変換テーブル１０を参照して、ＣＩＣ（通話回線番号）と呼制御サーバとの対応付けを行う。即ち、回線交換網側は、共通線信号送受信サーバ３−２により交換機側との間の呼制御信号をＩＳＵＰ／ＭＴＰによって転送し、ＩＰ網側は、呼制御サーバ２−１と共通線信号送受信サーバ３−１との間で、呼制御信号をＩＳＵＰ／ＵＤＰによって転送し、共通線信号送受信サーバ３−１，３−２間で、呼制御信号をＩＳＵＰ／ＵＤＰによって転送することになる。従って、システム規模が大きい場合でも、負荷バランスがとれる経済的な分散制御システムを構築することができる。
【図面の簡単な説明】
【００２４】
【図１】本発明の実施例の要部説明図である。
【図２】呼制御サーバを複数配置した要部説明図である。
【図３】共通線信号送受信サーバを複数配置した要部説明図である。
【図４】複数構成の要部説明図である。
【図５】従来例の要部説明図である。
【符号の説明】
【００２５】
１  ＳＧ（シグナリング・ゲートウエイ）
２  呼制御サーバ
３  共通線信号送受信サーバ
４  ＵＤＰ／ＩＰ処理部
５  ＭＴＰ処理部
６  乗せ換え機能部
１０  対応テーブル
【図１】
2005318145.tif 000003
【図２】
2005318145.tif 000004
【図３】
2005318145.tif 000005
【図４】
2005318145.tif 000006
【図５】
2005318145.tif 000007